(57)【要約】【課題】覚醒状態でも適用でき、かつ花粉症や空気感染症などの予防や安眠、癒し目的から、簡易式の集中治療や生命維持などにも適用できる頭部顔面用ドームを実現する。【解決手段】複数本の折り畳み式のアーチ状骨を開いて、その上にカバー用のネットを被せてドーム状に形成する装置を用いて、ドーム状の内部に、生命又は健康又は精神状態の維持に有用な気体又は機能性品の発する機能性成分を供給することによって、ドーム状空間の内部を人体の生命又は精神状態又は健康の維持又は増進に適した環境を生成し維持することを特徴とする。【選択図】図３
2007089862.tif 000002
【特許請求の範囲】
【請求項１】
複数本の折り畳み式のアーチ状骨の両端を回動可能に支持し、それぞれのアーチ状骨を支持部を支点にして開閉可能な構造とし、これらの各アーチ状骨を開いた状態でカバー用のネットを取付け可能に構成したことを特徴とする頭部顔面用ドーム。
【請求項２】
前記のアーチ状骨のうち、少なくとも１本は、有用気体の供給部と流出孔を有していることを特徴とするせ請求項１に記載の頭部顔面用ドーム。
【請求項３】
前記のアーチ状骨のうち、少なくとも１本は、木炭、竹炭もしくは活性炭、粒状もしくは粉状又は液体その他の機能性品を収納する手段を有していることを特徴とする請求項１または請求項２に記載の頭部顔面用ドーム。
【請求項４】
仰向けに寝た人体の頭頂部側のアーチ状骨が設置面に載置でき、顔面上側は開閉可能となり、かつ開閉側先端の１本のアーチ状骨からネットが垂れ下がる構成となっていることを特徴とする請求項１から請求項３までのいずれかの項に記載の頭部顔面用ドーム。
【請求項５】
複数本の折り畳み式のアーチ状骨を開いて、その上にカバー用のネットを被せてドーム状に形成する装置を用いて、ドーム状の内部に、生命又は健康又は精神状態の維持に有用な気体又は機能性品の発する機能性成分を供給することによって、ドーム状空間の内部を人体の生命又は精神状態又は健康の維持又は増進に適した環境を生成し維持することを特徴とする頭部顔面用ドームの使用方法。
【請求項６】
前記のアーチ状骨のうち、少なくとも１本又はネットに、芳香剤その他の機能性品を吊り下げることを特徴とする請求項５に記載の頭部顔面用ドームの使用方法。
【発明の詳細な説明】
【技術分野】
【０００１】
本発明は、折り畳み式のアーチ状骨を開いてカバー用のネットを被せてなる頭部顔面用ドームであり、花粉症や風邪などの空気感染症の予防や安眠、癒し目的などを実現できる健康器具に関する。
【背景技術】
【０００２】
実用新案登録第3074194 号によると、平板アルミ棒を開閉出来るドーム型に形成して、毛布様布地を被せて、冬季就寝中の頭部や顔、襟元などの防寒を目的として、長さの異なる６本の平板アルミ棒の短い物から中心を揃えてその両端の穴にちょうボルトを貫通させて、半円形のドーム型に折り曲げ、基底部とする平板アルミ棒の両端を折り上げて、その穴にちょうボルトを貫通し、ちょうナットで扇の要の如く締め付け、アルミ棒の間隔を均一に開くよう、アルミ棒の中心の右左均等の位置に小穴を設け、三つ組みチェーンを各アルミ棒に繋ぎ止め、広げたドーム型アルミ棒に毛布様布地を被せて、外側アルミ棒の半円形に沿って安全ピンで止め付け、睡眠に入る際、頭部に被り用いる防寒カバーが提案されている。
【特許文献１】実用新案登録第3074194
【発明の開示】
【発明が解決しようとする課題】
【０００３】
しかしながら、本発明のように花粉症や空気感染症などの予防や安眠、癒し目的などの健康用の頭部顔面用ドームの場合には、特許文献１のように毛布様布地を被せたのでは、防寒は実現できても、毛布で真っ暗になり、しかも息苦しさを感じ、とても癒しは実現できない。また、眠っている場合しか使用できず、覚醒状態では適用不能である。
【０００４】
本発明の技術的課題は、このような問題に着目し、覚醒状態でも適用でき、かつ花粉症や空気感染症などの予防や安眠、癒し目的から簡易式の集中治療や生命維持などにも適用できる頭部顔面用ドームを実現することにある。
【課題を解決するための手段】
【０００５】
本発明の技術的課題は次のような手段によって解決される。請求項１は、複数本の折り畳み式のアーチ状骨の両端を支持し、それぞれのアーチ状骨を支持部を支点にして開閉可能な構造とし、これらの各アーチ状骨を開いた状態でカバー用のネットを取付けてあることを特徴とする頭部顔面用ドームである。ネットの網目の密度は任意であり、密度の最も高いのが布である。このように、複数本のアーチ状骨を支持部を支点にして開閉可能な構造とし、これらの各アーチ状骨を開いた状態でカバー用ネットを取付けてあるため、この頭部顔面用ドームの中に頭部乃至顔面を入れた状態で横になって、アーチ状骨を全開にすると、ネットを拡げて頭部乃至顔面に被せた状態となる。その結果、ネットの網目から外気や光が透過するので、覚醒状態で息苦しさや閉塞感を感じるなどの問題はない。
【０００６】
また、ネットによって外気の流通をある程度抑制できるので、冷房中の冷気を抑制したり、自分だけ好みの環境に維持できる。光もある程度遮断できるため、薄暗くして刺激を抑え、自分だけ安眠したりする場合にも適している。さらに、ネットで自分だけが外部から遮断・隔離され、外部から見えないので、外部から無闇に声を掛けたりするのも防止でき、プライバシーを保持できる。したがって、一人で読書したり、リラックスしたり、思索にふけったりするのにも好都合である。入院中に安静にしたい場合などにも好適である。カバー用のネットを各アーチ状骨に取付けてあるため、各アーチ状骨を所定の間隔で開いた状態にネットで連結でき、特別な連結手段は不要で、部品点数や重量の増加を抑制できる。各アーチ状骨を折り畳んでも、ネット自体が柔軟なため、ネットも各アーチ状骨と一緒に折り畳んだり開いたりでき、携帯や保管にも適している。
【０００７】
請求項２は、前記のアーチ状骨のうち、少なくとも１本は、有用気体の供給部と流出孔を有していることを特徴とする請求項１に記載の頭部顔面用ドームである。前記の有用気体の供給部と流出孔は、アーチ状骨自体に設けてもよいし、アーチ状骨とは別体に設けた構成でもよい。このように、複数本のアーチ状骨のうち、少なくとも１本は、有用気体の供給部と流出孔を有しているため、当該アーチ状骨を、気持ちを落ちつけたり健康維持や生命維持に有効な気体の供給源に配管しておけば、頭部顔面用ドームのネット内に有用気体を流出させて、有用気体に満たされた雰囲気をつくることができる。また、外部より高圧になるので、外気が入るのを防いで、花粉や粉塵の侵入阻止による花粉症対策や空気汚染防止にもなる。風邪などの空気感染症が流行している場合は、その伝染防止にもなる。なお、有用気体はネットの網目から漏れ出すことになるが、ドーム内の有用気体の濃度や圧力を上げたい場合は、ネットを２〜３枚重ねにしたり、細目のネットに交換したり、上から布などを被せたりもできる。
【０００８】
請求項３は、前記のアーチ状骨のうち、少なくとも１本は、木炭、竹炭もしくは活性炭、粒状もしくは粉状又は液体その他の機能性品を収納する手段を有していることを特徴とする請求項１または請求項２に記載の頭部顔面用ドームである。前記の機能性品の収納手段は、アーチ状骨自体に設けてもよいし、アーチ状骨とは別体に設けてもよい。このように、前記のアーチ状骨のうち、少なくとも１本は、木炭、竹炭もしくは活性炭、粒状もしくは粉状又は液体その他の機能性品を収納可能となっているため、ドーム内を、木炭や竹炭、活性炭、粒状もしくは粉状又は液体その他の機能性品から発生する有用気体で満たすことができ、ドーム内の空気浄化や人体の健康や生命、精神状態の維持増進に適した環境を生成し維持できる。したがって、気持ちをリフレッシュしたり、鬱病や不眠症、自律神経症の治療などにも適している。抗菌性や殺菌性の気体を発生させれば、院内感染を抑止したり、風邪その他の伝染病の予防も可能となる。
【０００９】
請求項４は、仰向けに寝た人体の頭頂部側のアーチ状骨が設置面に載置でき、顔面上側は開閉可能となり、かつ開閉側先端の１本のアーチ状骨からネットが垂れ下がる構成となっていることを特徴とする請求項１、請求項２又は請求項３に記載の頭部顔面用ドームである。このように、前記のアーチ状骨の顔面上側が開閉可能で、かつ開閉側先端の１本のアーチ状骨からネットが垂れ下がった状態になるので、ドームの内部を外部から確実に遮断し隔離でき、ドーム内をより確実に所望の雰囲気又は環境に維持できる。しかも、開閉側先端の１本のアーチ状骨からネットが垂れ下がっているので、ドーム内の人の顔の前に垂れ下がっているネットを上げ下げするだけで容易にネットだけを開閉でき、かつ人体にアーチ状骨の重みが作用することはなく、使い心地は快適である。
【００１０】
請求項５は、複数本の折り畳み式のアーチ状骨を開いて、その上にカバー用のネットを被せてドーム状に形成する装置を用いて、ドーム状の内部に、生命又は健康の維持に有用な気体又は機能性品の発する機能性成分を含む気体を供給することによって、ドーム状空間の内部を人体の生命又は精神状態又は健康の維持又は増進に適した環境を生成し維持することを特徴とする頭部顔面用ドームの使用方法である。このように、複数本の折り畳み式のアーチ状骨を開いてドーム状に形成し、それらの上にカバー用のネットを被せた状態の装置を使用して、ドーム状の内部に機能性品の発する機能性成分を含む気体を供給することによって、ドーム状空間の内部を人体の精神又は健康の維持増進に適した環境を形成する方法によると、頭部ないし顔面を囲む小さなドームの内部だけに機能性品の発する機能性成分を供給すれば足りるので、安価に人体の精神又は健康の維持又は増進に適した環境を実現できる。また、生命の維持増進に有用な気体を供給することによって、集中治療室（ＩＣＵ）の代用としても利用でき、災害発生現場や急患の発生現場などに持参して救急治療にも簡易に利用でき、非常時の必需品ともなる。
【００１１】
請求項６は、前記のアーチ状骨の少なくとも１本又はネットに、芳香剤その他の機能性品を吊り下げることを特徴とする請求項５に記載の頭部顔面用ドームの使用方法である。このように、前記のアーチ状骨の少なくとも１本又はネットに、芳香剤その他の機能性品を吊り下げるため、必要に応じて芳香剤その他の機能性品を吊り下げておけば、請求項３の場合と同様に、内部の人間が好む芳香を楽しんだり、悩み事を忘れて気持ちを落ちつけたり、精神的にリフレッシュしたりする場合に適する。請求項３のように、ドームの内部のみ、環境を良好な状態に維持できるので、部屋全体に用いる場合と違って、機能性品の消耗を最小限に抑制し、節約できる。
【発明の効果】
【００１２】
請求項１のように、複数本のアーチ状骨を支持部を支点にして開閉可能な構造とし、これらの各アーチ状骨を開いた状態でカバー用ネットを取付けてあるため、この頭部顔面用ドームの中に頭部乃至顔面を入れた状態で横になって、アーチ状骨を全開にすると、ネットを拡げて頭部乃至顔面に被せた状態となる。その結果、ネットの網目から外気や光が透過するので、覚醒状態で息苦しさや閉塞感を感じるなどの問題はない。また、ネットによって外気の流通をある程度抑制できるので、冷房中の冷気を抑制したり、自分だけ好みの環境に維持できる。光もある程度遮断できるため、薄暗くして刺激を抑え、自分だけ安眠したりする場合にも適している。
【００１３】
さらに、ネットで自分だけが外部から遮断・隔離され、外部から見えないので、外部から無闇に声を掛けたりするのも防止でき、プライバシーを保持できる。したがって、一人で読書したり、リラックスしたり、思索にふけったりするのにも好都合である。入院中に安静にしたい場合などにも好適である。カバー用のネットを各アーチ状骨に取付けてあるため、各アーチ状骨を所定の間隔で開いた状態にネットで連結でき、特別な連結手段は不要で、部品点数や重量の増加を抑制できる。各アーチ状骨を折り畳んでも、ネット自体が柔軟なため、ネットも各アーチ状骨と一緒に折り畳んだり開いたりでき、携帯や保管にも適している。
【００１４】
請求項２のように、複数本のアーチ状骨のうち、少なくとも１本は、有用気体の供給部と流出孔を有しているため、当該アーチ状骨を、気持ちを落ちつけたり健康維持や生命維持に有効な気体の供給源に配管しておけば、頭部顔面用ドームのネット内に有用気体を流出させて、有用気体に満たされた雰囲気をつくることができる。また、外部より高圧になるので、外気が入るのを防いで、花粉や粉塵の侵入阻止による花粉症対策や空気汚染防止にもなる。風邪などの空気感染症が流行している場合は、その伝染防止にもなる。なお、有用気体はネットの網目から漏れ出すことになるが、ドーム内の有用気体の濃度や圧力を上げたい場合は、ネットを２〜３枚重ねにしたり、細目のネットに交換したり、上から布などを被せたりもできる。
【００１５】
請求項３のように、前記のアーチ状骨のうち、少なくとも１本は、木炭、竹炭もしくは活性炭、粒状もしくは粉状又は液体その他の機能性品を収納可能となっているため、ドーム内を、木炭や竹炭、活性炭、粒状もしくは粉状又は液体その他の機能性品から発生する有用気体で満たすことができ、ドーム内の空気浄化や人体の健康や生命、精神状態の維持増進に適した環境を生成し維持できる。したがって、気持ちをリフレッシュしたり、鬱病や不眠症、自律神経症の治療などにも適している。抗菌性や殺菌性の気体を発生させれば、院内感染を抑止したり、風邪その他の伝染病の予防も可能となる。
【００１６】
請求項４のように、前記のアーチ状骨の顔面上側が開閉可能で、かつ開閉側先端の１本のアーチ状骨からネットが垂れ下がった状態になるので、ドームの内部を外部から確実に遮断し隔離でき、ドーム内をより確実に所望の雰囲気又は環境に維持できる。しかも、開閉側先端の１本のアーチ状骨からネットが垂れ下がっているので、ドーム内の人の顔の前に垂れ下がっているネットを上げ下げするだけで容易にネットだけを開閉でき、かつ人体にアーチ状骨の重みが作用することはなく、使い心地は快適である。
【００１７】
請求項５のように、複数本の折り畳み式のアーチ状骨を開いてドーム状に形成し、それらの上にカバー用のネットを被せる装置を使用して、ドーム状の内部に機能性品の発する機能性成分を含む気体を供給することによって、ドーム状空間の内部を人体の精神又は健康の維持増進に適した環境を形成する方法によると、頭部ないし顔面を囲む小さなドームの内部だけに機能性品の発する機能性成分を供給すれば足りるので、安価に人体の精神又は健康の維持又は増進に適した環境を実現できる。また、生命の維持増進に有用な気体を供給することによって、集中治療室（ＩＣＵ）の代用としても利用でき、災害発生現場や急患の発生現場などに持参して救急治療にも簡易に利用でき、非常時の必需品ともなる。
【００１８】
請求項６のように、前記のアーチ状骨の少なくとも１本又はネットに、芳香剤その他の機能性品を吊り下げるため、必要に応じて芳香剤その他の機能性品を吊り下げておけば、請求項３の場合と同様に、内部の人間が好む芳香を楽しんだり、悩み事を忘れて気持ちを落ちつけたり、精神的にリフレッシュしたりする場合に適する。請求項３のように、ドームの内部のみ、環境を良好な状態に維持できるので、部屋全体に用いる場合と違って、機能性品の消耗を最小限に抑制し、節約できる。
【発明を実施するための最良の形態】
【００１９】
次に本発明による頭部顔面用ドームとその使用方法が実際上どのように具体化されるか実施形態を説明する。図１は、本発明による頭部顔面用ドームの骨組みの実施形態を示す斜視図である。ａ…は中空のパイプ製のアーチ状骨であって、それぞれの両端は、開閉して折り畳んだり開いたりできるように、水平軸の回りに回動可能に構成されている。ただし、開いた状態の一端のアーチ状骨ａ１は全体の支持機能を兼ねており、その両端に、図２のようなリング状部Ｒ１、Ｒ２が形成されている。そして、他の各アーチ状骨ａ…の両端１にリングｒ付きの栓棒２を挿入固定して、そのリング中に前記リング状部Ｒ１、Ｒ２を挿入してある。したがって、各アーチ状骨ａ…の両端１のリングｒの穴にリング状部Ｒ１、Ｒ２を挿通した状態で、リング状部Ｒ１、Ｒ２を中心にして回転させることで、各アーチ状骨ａ…を一端の支持アーチ状骨ａ１の上に折り畳んだり、図示の状態に開いたりできる。
【００２０】
図３のように、図１の各アーチ状骨ａ…を開いた状態に維持できるように、開いた状態の各アーチ状骨ａ…の上にカバー用のネット３を被せて取付けてある。ネット３の各アーチ状骨ａ…への取付け手段は任意であり、特に限定されないが、各アーチ状骨ａ…の取付け位置において、ネット３内面にアーチ状骨ａ…の挿入用の布製ループを縫い付け固定しておいて、これらのループにアーチ状骨ａ…を挿入する構成にすれば、各アーチ状骨ａ…とネット３との着脱が容易になり、ネット３の取り替え交換などの際に便利である。ネット３の色は、遮光性のよい暗色でもよいし、遮光を目的としない場合は樹脂製糸からなる無色透明ないし白色でもよく、色や材質は特に限定しない。
【００２１】
各アーチ状骨ａ…でドーム状に形成したネット３の中に、図４のように使用者の頭部を挿入して、頭部と顔面をドーム状ネット３の中に挿入した状態で使用する。こうして頭部や顔面を挿入した状態では、外部からネット３の中に蚊などの虫類や花粉などが侵入できないように、ネット３の外周や下端などから侵入可能な隙間ができないことが必要である。
【００２２】
そのために、図５のように、支持アーチ状骨ａ１側のネット端ｎ１を含め、ネット外周ｎ２の下側に隙間が生じないように、ネットを多少長めに延ばして余長を設けてある。また、開閉側先端のアーチ状骨ａ２からネットｎ３が充分に垂れ下がるように、長めにして、内部の人体の首ないし胸の上にネットｎ３下端が重なるようにしてある。ＧＬは頭部顔面用ドームの設置面であり、畳の上で使用する場合であれば、畳の上面であり、ベッドの上で使用する場合であれば、ベッドの上面となる。したがって、ネット外周の余長部ｎ１、ｎ２は設置面ＧＬの上に重なることになり、開閉側先端のアーチ状骨ａ２から垂れ下がっている垂下ネットｎ３は、図４の仰向けに寝た人体Ｂの胸ないし首などの上面に重なる。
【００２３】
各アーチ状骨ａ…は、用途に応じて、有用気体穴を多数開けておく。図６は、１本のアーチ状骨ａの拡大断面図である。（１）はアーチ状骨ａの長手方向の部分断面図で、湾曲しているアーチ状部の凹面すなわち内面側に複数の小孔４…を開けて、有用気体（ガス体）の通気孔にしてある。（２）図は通気孔４位置におけるＡ−Ａ断面図であり、アーチ状骨ａの凹面側に通気孔４を開けて、有用気体が頭部顔面用ドームの内側に向けて流出するようにしてある。
【００２４】
図７は、前記通気孔４つきのアーチ状骨ａ中への有用気体の供給部を示す図で、アーチ状骨ａの一端は、図２のように、リングｒ付きの栓棒２を挿入して閉鎖されているのに対し、他端５には配管６を接続してあり、酸素ボンベなどの気体供給源７からアーチ状骨ａ中に有用気体を供給できる構成になっている。したがって、こうして供給された気体は、前記の通気孔４…から流出して、ドーム中に給気される。配管６の接続口５側のアーチ状骨端には、リングｒ付きの栓棒２を挿入固定してなる別体のパイプ８を重ねて溶接することによって、折り畳み又は開閉可能に形成してある。このような気体供給機能は、必ずしもすべてのアーチ状骨ａ…に設ける必要はなく、所用数のアーチ状骨ａ…に設ければ足りる。なお、配管６と有用気体供給源７との間には着脱式のコネクタＣを介在させて、各種の有用気体源と容易に切り換え可能にしてある。
【００２５】
有用気体供給源７から供給し、通気孔４…からドーム中に流出する気体としては、室内が乾燥状態の場合は、水蒸気を供給してドーム内に湿気を補充してもよいし、酸素などを供給することもできる。花粉やアスベストなどの粉塵がドーム内に侵入するのを防止するだけであれば、通常の空気を供給して、ドーム内を外部より多少高めの気圧にするだけでもよい。なお、花粉症防止用の吸入薬なども一緒に供給するのもよい。空気感染を防止する薬剤を供給すれば、風邪や結核などのような空気感染症の予防にも有効である。有用気体供給源７とアーチ状骨他端５間にハーブなどの芳香物質や香料を置いて、芳香をドーム内に供給することも可能である。
【００２６】
院内感染防止などに使用する場合は、ネット３に消毒薬を散布したり、各アーチ状骨ａ…やネット３に殺菌性のある酸化チタンコーティングを処理すると効果的である。あるいは、月桃の抽出液を散布したり、月桃抽出液にネットを浸漬してから乾燥させると、月桃の抗菌作用や消臭作用で清潔な状態を維持できる。活性炭粉末などを織り込んだ多孔質の脱臭炭シートも効果的であり、騒音抑制のために、吸音性・防音性のある多孔質シートをネットとして用いることも有効である。
【００２７】
図７のように外部から有用気体を供給するのでなく、各アーチ状骨ａ…の内部に木炭や竹炭、活性炭、ハーブその他の粒状もしくは粉状又は液状の機能性品を収納しておくことも可能である。そのために、図８の場合は、通気孔４…を有するアーチ状骨ａに、粉粒状や錠剤状、液状の機能性品の出し入れ口を設けてある。すなわち、（１）のように、アーチ状骨ａの例えば両端に錠剤などを出し入れできるサイズの開口９を開けておき、該開口９を閉鎖するための断面Ｃ字状の蓋体１０を用いる。そして、片方の開口９から錠剤状や粉粒状の木炭や竹炭、活性炭その他の機能性品１１を挿入してから、蓋体１０を矢印方向に被せると、断面Ｃ字状部の弾力によって、（２）図のように開口９が閉じられた状態に維持される。機能性品１１としては、各種のハーブ類でもよい。
【００２８】
その結果、通気孔４…から機能性品１１の成分が気体となって流出し、ドーム内に供給されるため、ドーム内の人間にとって癒しその他の精神状態の維持増進に有効な成分を満たすことができる。なお、効能が低下した場合は、他方の開口の蓋体１０を外して、排出させ、取り出すだけでよい。取り出しが困難な場合は、針金などで押し出すこともできる。収納する機能性品が液体の場合は、開口９は１個で足りる。液体の場合は、脱脂綿などにしみ込ませた状態で挿入してもよい。この場合は、開口９や蓋体１０は１か所で足りる。機能性品の効能が低下したら、同じ開口９から取り出して交換するだけでよい。この場合の蓋体１０は通気孔４…を開けておいてもよいが、蓋体１０の隙間からも有用気体は供給可能である。。
【００２９】
前記の機能性品は、アーチ状骨ａ…の内部に挿入する場合のほか、アーチ状骨ａ…に吊り下げておくだけでもよい。例えば、芳香剤その他の機能性品を吊り下げておく。機能性品が軽量の場合は、ネット３の網目に引っ掛けて吊り下げてもよい。以上のような機能性成分に代えて薬効成分を供給することで、急患の治療や生命維持、非常時の集中治療室代用などとしても利用できる。なお、以上のような機能性成分や薬効成分の給気手段は、前記の各手段を適宜組み合わせて利用できることは言うまでもない。
【００３０】
以上のように、ネットからなるドームの内部に薬効又は機能性のある気体を供給する場合は、内部の有用気体が容易に逃げ出さないように、ネットの網目を密にすることが望ましい。また、周囲が明る過ぎるのを抑制するためにも、密な網目が望ましい。このように、ネット３による遮光効果を上げ、又は気体流出を抑制すべく、網目のサイズの異なるネットを多数用意しておき、必要に応じて網目が密なネットを用いてもよいが、前記ネット３を複数枚重ねにして用いることもできる。
【００３１】
単一のネットの上に布（網目が最も密なネットでもある）やビニールシートなどを部分的又は全体に被せることによって、内部の機能性又は芳香気体の流出を抑制してもよい。この場合は、集中治療室の代用ともなり、集中治療室の設備の無い診療所や大量の急患が発生したような非常時などにも適している。高齢者や病弱者を抱えている家庭に常備しておくのも安心である。また、本発明の頭部顔面用ドームを使用していると仮眠中であることを周囲に表現でき、昼食後などにオフィスなどでリクライニングシートで使用すると、午後の仕事の能率向上やストレス発散にも好適である。
【００３２】
図５に示すように、本発明の頭部顔面用ドームは、仰向けに寝た人体の頭頂部側のアーチ状骨ａ１と装置全体が設置面ＧＬに載置して固定され、顔面前方のアーチ状骨ａ２や各アーチ状骨ａ…が開閉する構造であるが、より安定性を高めるためには、図３に鎖線１２で示すような連結材を用いて、両側のリング状部Ｒ１、Ｒ２を連結するのもよい。この連結材１２の両端もリングｒを有する構成でもよいし、アーチ状骨ａ１の両端に固定してもよい。また、開閉側アーチ状骨ａ２の下側に鎖線で示すアーチ状骨ａ３を追加しておき、ドーム状に開いた状態で、アーチ状骨ａ３を設置面ＧＬに載置して、アーチ状骨ａ３と前記連結材１２の上に使用者の頭部や肩部などの荷重が作用するように使えば、頭部顔面用ドーム全体がより安定する。
【００３３】
図１に示すように、アーチ状骨ａ１、ａ２や連結材１２から押さえバー１３、１４、１５を伸ばして、その先端を相手側の上に載せ、それらの上に使用者の頭部や肩部などの荷重が作用するようにしてもよい。なお、連結材１２やアーチ状骨ａ３、押さえバー１３、１４、１５などの上に枕などを置いて寝ることは言うまでもない。
【００３４】
以上の実施形態における複数のアーチ状骨ａ…はパイプ状をしているが、必ずしもアーチ状骨の全長を中空体にする必要はなく、気体の流出孔４や機能性品の収納部のみを中空状とし、その他は通常の棒状体や針金状などの細長体で構成することも可能である。ただし、重くなるので携帯には適しない。あるいは、中空状その他のアーチ状骨に、流出孔４と機能性品の収納部つきの中空体や図８のような容器手段を取付けてもよい。
【００３５】
同様な要領で、図７のように有用気体供給源７に接続された図６のような通気孔４…付きの中空アーチ状骨又は中空湾曲体を、図１や図３のネット支持専用のアーチ状骨ａ…の側面に取付けて、併設する構成も可能である。
【００３６】
各アーチ状骨ａ…の両端のリングｒ…の孔に、支持側アーチ状骨ａ１や連結材１２の両端に設けた水平支軸を挿入することによって、扇子の要と同様な構造とし、支軸を中心に各アーチ状骨ａ…が回動して開閉する構造も可能である。この場合は、各リングｒ…の各孔に支軸が入るように、向きを90°変えることは言うまでもない。したがって、アーチ状骨ａ…の両端の回動部は通常の軸支構造でもよく、特に限定されない。なお、アーチ状骨ａ…その他の部材をアルミニウム製や合成樹脂製とすることで軽量化し、持ち運びに適した装置にできる。アーチ状骨ａ…を開いた状態のドームサイズは、一人の頭部ないし顔面に被せることのできるサイズであればよく、特に制限はない。
【産業上の利用可能性】
【００３７】
以上のように、本発明によると、複数本の折り畳み式のアーチ状骨を開いてドーム状に形成し、カバー用のネットを被せた状態の頭部顔面用ドームを実現でき、この装置を利用することによって、ドーム状の内部に、生命又は健康又は精神状態の維持増進に有用な気体又は機能性成分を含む気体を供給することによって、酸素吸入なども可能で、生命又は健康又は精神の維持増進に必要な環境を安価に実現でき、簡易型の集中治療室代用としても利用できる。
【図面の簡単な説明】
【００３８】
【図１】本発明による頭部顔面用ドームの骨組みの実施形態を示す斜視図である。
【図２】各アーチ状骨の開閉機構部の実施形態を示す斜視図である。
【図３】各アーチ状骨を開いてカバー用のネットを被せた状態の斜視図である。
【図４】ドーム状のネットの内部に使用者の頭部を挿入した状態の斜視図である。
【図５】ドーム状ネットの外周に余長を設けた状態を示すアーチ状骨の縦断面図である。
【図６】１本のアーチ状骨の拡大断面図である。
【図７】通気孔つきのアーチ状骨中への有用気体の供給部を示す斜視図である。
【図８】アーチ状骨の内部空間に粉粒状や錠剤状の機能性品を出し入れする部分を示す断面図である。
【符号の説明】
【００３９】
ａ、ａ１、ａ２、ａ３  中空のアーチ状骨
Ｒ１・Ｒ２  リング状部
ｒ  リング
１  アーチ状骨の両端
２  リング付きの栓棒
３  カバー用のネット
ｎ  ドーム状ネット
４  気体流出用の小孔
５  アーチ状骨の他端（気体供給部となる配管接続口）
６  配管
７  気体供給源
Ｃ  コネクタ
８  別体の併設パイプ
９  開口
１０  蓋体
１１  機能性品
１２  連結材
１３、１４、１５  押さえバー
【図１】
2007089862.tif 000003
【図２】
2007089862.tif 000004
【図３】
2007089862.tif 000005
【図４】
2007089862.tif 000006
【図５】
2007089862.tif 000007
【図６】
2007089862.tif 000008
【図７】
2007089862.tif 000009
【図８】
2007089862.tif 000010